(57)【要約】【課題】  手足部の温度を上昇させ、新陳代謝及び栄養分の吸収能力と保養を促進させると同時に、手足部が円滑に動ける単一層のカバーの構造を提供する。【解決手段】  内外部は内層にある膜状面１と外層にあるカバー２とを備え、内層にある膜状面１は柔軟かつ吸着性の綿布により製造された手の形に符合するカバーで、事前にカバーの内部に皮膚に潤いを与える栄養液１１０が吸収含有され、外層にあるカバー２は柔軟かつ隔離性のコロイドにより製造された手の形に符合するカバーで、その手首開口側２３にバンド状の束状構造２０が設置され、内層にある膜状面１は外層にあるカバー２の内部と結合されて一体式の手袋構造を形成し、手に直接履くと内層にある膜状面１に覆われ、バンド状の束状構造２０により内層にある膜状面１の開口を束ねて隔離閉鎖し、かつ手部が円滑に動ける構造の手足部の膜状カバー。【選択図】    図１
0003108625.tif 000002
【実用新案登録請求の範囲】
【請求項１】
内外部は内層にある膜状面と外層にあるカバーとを備え、
前記内層にある膜状面は柔軟かつ吸着性の綿布により製造された手または足の形に適合するカバーであり、事前にカバーの内部に皮膚に潤いを与える栄養液または栄養剤が吸収含有され、
外層にあるカバーは柔軟かつ隔離性のコロイドにより製造された手または足の形に適合するカバーであり、その手首開口側にバンド状の束状構造が設置され、
内層にある膜状面は外層にあるカバーの内部と結合されて一体式の手袋構造を形成し、手または足に直接履くと内層にある膜状面に覆われ、バンド状の束状構造により内層にある膜状面の開口を束ねて隔離閉鎖すると、手部または足部は内層にある膜状面の閉鎖により体温が上昇して毛細管が開放され、吸収含有された栄養液を速やかに吸収し、手部または足部を保養すると同時に、手部または足部が円滑に動ける構造であることを特徴とする手足部の膜状カバー。
【請求項２】
前記内層にある膜状面及び外層にあるカバーは動物の皮或いは不通気性の同様な材質で製造することを特徴とする請求項１に記載の手足部の膜状カバー。
【請求項３】
内外部は内層にある膜状面と外層にあるカバーとを備え、
前記内層にある膜状面は柔軟かつ吸着性の綿布より製造された手または足の形に適合するカバーであり、事前にカバーの内部に皮膚に潤いを与える栄養液または栄養剤が吸収含有され、
外層にあるカバーは柔軟かつ隔離性のコロイドにより製造された手または足の形に適合するカバーであり、その手首開口側にバンド状の束状構造が設置され、
内層にある膜状面を外層にあるカバーの内部と結合させてから空間を形成し、前記空間より皮膚に潤いを与える栄養液が流れ込んで、内層にある膜状面より滲出した栄養液が手部または足部を保養することを特徴とする手足部の膜状カバー。
【考案の詳細な説明】
【技術分野】
【０００１】
本考案は手足部の保養するカバーの構造に関するものである。
【背景技術】
【０００２】
従来の手足部の保養方式は、保養クリームを直接手足部に塗抹して完成するが、手足部にクリームを付けると、身辺の仕事がストップされ、場所と時間が制限される。また、保養効果の面においても、通常の保養品の保養方式は直接手足部に塗抹し、保養液の浸透効果を利用して、皮膚に潤いを与える目的を達成するため、保養を与える時、皮膚の毛細管が開放していないので、直接塗抹の保養方式は皮膚の表面に限られ、皮膚の内部に浸入せず、効果は限られている。
【考案の開示】
【考案が解決しようとする課題】
【０００３】
そこで、本考案の目的は手足部の温度を上昇させ、新陳代謝及び栄養分の吸収能力と保養を促進させると同時に、手足部が円滑に動ける単一層のカバーの構造を提供することにある。
【課題を解決するための手段】
【０００４】
本考案の膜状カバーの内外部は内層にある膜状面と外層にあるカバーとを備え、その内層にある膜状面は柔軟かつ吸着性の不織布或いは綿布により製造され、事前に膜状の内部に皮膚に潤いを与える栄養液（剤）を吸収含有させることより、手足部の膜状カバーの内層を形成する。外層にあるカバーは柔軟かつ隔離性のプラスチック或いはコロイドにより製造され、これは内層面の外縁面を覆い、皮膚に潤いを与える栄養液が漏れない隔離作用によって、手足部の膜状カバーが一体になる。外層にあるカバーの開口部には束状構造を設けてある。
【０００５】
これにより、使用時、手部に直接履くと、手部は外層にあるカバーの内部に覆われ、栄養液を含有している内層面と接触し、また外層にあるカバーの開口部にある束状構造を利用して、束状構造の内層にある膜状面は閉鎖状態になるため、内層にある膜状面に覆われた手足部は外層にあるカバーにより隔離され、温度が上昇して新陳代謝が促進され、かつ毛細管が開放されるので、手足部は内層にある膜状面にある栄養液を迅速に吸収し、皮膚の保養効果を達成する。
【考案を実施するための最良の形態】
【０００６】
（第一実施例）
図１と図２に示すように、本考案の第一実施例による手足部の膜状カバー３は外層にあるカバー２と内層にある膜状面１とが一体に結合され、外層にあるカバー２の手首開口側２３に束状構造２０が設置され、束状構造２０により手首開口側２３は閉鎖され、内層にある膜状面１が外層にあるカバー２の内部を隔離する。内層にある膜状面１は手足の芯部及び背部が柔軟かつ吸着性の綿布或いは動物の皮で製造され、事前に全面的に皮膚に潤いを与える栄養液１１０を均一吸収含有する。この栄養液の成分は、Ｌ‐アスコルビン酸０．５％、コラーゲン蛋白４％、ヒアルロン酸６％、ローズ水１０％、甘草３％、ペクチン１％、アロエ２％、ＡＨＡ０．４５％、エセンシアルオイル０．０５％、イオン水７％、及びその他の元素である。
【０００７】
外層にあるカバー２は柔軟かつ隔離性のプラスチック或いは動物の皮により製造され、内層にある膜状面１の外縁と内層にある膜状面１の内外を手袋の形に一体結合させ、かつ手首開口側２３に束状構造２０を設置する。この束状構造２０はバンド状で、バンドの一方は外層にあるカバー２に固定され、その上方に止め部２１があって、バンドのもう一方は同様な止め部２２がある。手部を本実施例の膜状カバーで保養したい時、ただ手部２４を直接手袋の内部に入れるだけで、皮膚に潤いを与える栄養液１１０を含有する内層にある膜状面１に接触し、外層にあるカバー２の束状構造２０のバンドの尾端にある止め部２２で内層にある膜状面１の手首開口側２３を束ね、バンドの上方にある止め部２１に止めると、内層にある膜状面１は外層にあるカバー２により隔離閉鎖される。
【０００８】
内層にある膜状面１は外層にあるカバー２により隔離閉鎖されるので、内層にある膜状面１と接触している手部の温度が上昇するに連れて毛細管が開放すると、内層にある膜状面１の栄養液１１０が迅速に吸収され、新陳代謝が促進され、栄養液が速やかに吸収される。これより皮膚に潤いを与える効果が早くなる（図３及び図４を参照）。
【０００９】
図５に示すように、本実施例の外層にあるカバー２の手首開口側２３の束状構造３００をボタンに取替えることによって、はめる方式でバンドの距離を縮めると、同様に内層にある膜状面１の閉鎖効果が得られる。また、図６に示すように、本実施例の外層にあるカバー２の手首開口側の束状構造を直接ゴム４で手首開口側２３を固定するようにすることにより、直接開口側２３の閉鎖及び緩む効果が得られる。さらに、図７に示すように、ゴム入りバンド５で手首開口側２３を束ねることにより、外層にあるカバー２により内層にある膜状面１の閉鎖隔離目的も達成される。
【００１０】
（第二実施例）
図８及び図９は、本考案の第二実施例による手足部の膜状カバーを示す。本実施例の手足部の膜状カバーは、外層にあるカバー２と内層にある膜状面１とを結合させてから形成された手袋の形で、内層にある膜状面１に隔離される溶液空間９０が形成されて皮膚に潤いを与える栄養液１１０が事前に注入され、内層にある膜状面１の浸透効果により、栄養液１１０を手部２４まで伝達して、保養の目的を達成する。また、本実施例の外層にあるカバーに溶液空間９０を突き抜く注液穴９を設け（図１０）、栄養液１１０はここより内層にある膜状面１を通して、手部２４まで伝達される。
【００１１】
（第三実施例）
図１１は本考案の第三実施例による手足部の膜状カバーを示す。本実施例は手足部膜状カバーを足部保養に応用した良い例であって、同じように内層にある膜状面６及び外層にあるカバー７により構成され、その内層にある膜状面６に事前に栄養液を吸収含有させ、不通気性の材質で外層にあるカバー７を製造し、外層にあるカバー７の開口側に同様にバンド状の束状構造８を設け、同じようにバンドの尾端にある止め部８０でバンドの上方にある止め部８１を止めると、内層にある膜状面６を隔離する目的が達成される。
【図面の簡単な説明】
【００１２】
【図１】本考案の第一実施例による手足部の膜状カバーを示す断面図である。
【図２】本考案の第一実施例による手足部の膜状カバーを示す立体図である。
【図３】本考案の第一実施例による手足部の膜状カバーの使用説明図である。
【図４】本考案の第一実施例による手足部の膜状カバーの使用断面図である。
【図５】本考案の第一実施例による手足部の膜状カバーの束状構造の変形例を示す立体図である。
【図６】本考案の第一実施例による手足部の膜状カバーの束状構造の変形例を示す立体図である。
【図７】本考案の第一実施例による手足部の膜状カバーの束状構造の変形例を示す立体図である。
【図８】本考案の第二実施例による手足部の膜状カバーを示す断面図である。
【図９】本考案の第二実施例による手足部の膜状カバーを示す立体図である。
【図１０】本考案の第二実施例による手足部の膜状カバーの変形例を示す立体図である。
【図１１】本考案の第三実施例による手足部の膜状カバーを示す立体図である。
【符号の説明】
【００１３】
１  内層にある膜状面、１１０  皮膚に潤いを与える栄養液、２  外層にあるカバー、２０  束状構造、２１  止め部、２２  止め部、２３  開口側、２４  手部、３  手足部の膜状カバー、３００  ボタン、４  ゴム、５  ゴム入りバンド、６  内層にある膜状面、７  外層にあるカバー、８  束状構造、
【図１】
0003108625.tif 000003
【図２】
0003108625.tif 000004
【図３】
0003108625.tif 000005
【図４】
0003108625.tif 000006
【図５】
0003108625.tif 000007
【図６】
0003108625.tif 000008
【図７】
0003108625.tif 000009
【図８】
0003108625.tif 000010
【図９】
0003108625.tif 000011
【図１０】
0003108625.tif 000012
【図１１】
0003108625.tif 000013